(57)【要約】      （修正有）【課題】蓋の開け閉めが容易で、車中や公園など、テーブルがない環境でも場所を問わずに食べ易く、子供や女性、お年寄りなど力が弱い人でも開け易く、樹脂製であっても汁物に適した構造が簡易である食品容器を提供する。【解決手段】本体１、蓋取付枠２及び開閉蓋３により構成する。本体１の上端部に蓋取付枠２を螺合して着脱自在とする。本体１と蓋取付枠２の螺合時には、本体１の上端部縁と蓋取付枠２の内周面に形成した突条２１間に介在するパッキン４を挟圧する。パッキン４は、突条２１よりも更に内方へ張り出た突出部４１を有すること、開閉蓋３を蓋取付枠２に起倒可能に軸支して冠着自在に係止し、蓋取付枠２への冠着時に、前記パッキン４の突出部４１に当接して密閉する突合片３２を開閉蓋３に環状に垂設した。【選択図】図２
0003177111.tif 000002
【実用新案登録請求の範囲】
【請求項１】
本体、蓋取付枠及び開閉蓋により構成され、本体の上端部に蓋取付枠を螺合して着脱自在とし、本体と蓋取付枠の螺合時には、本体の上端部縁と蓋取付枠の内周面に形成した突条間に介在するパッキンを挟圧すると共に、パッキンは、突条よりも更に内方へ張り出た突出部を有すること、開閉蓋を蓋取付枠に起倒可能に軸支して冠着自在に係止し、蓋取付枠への冠着時に、前記パッキンの突出部に当接して密閉する突合片を開閉蓋に環状に垂設したにことを特徴とする食品容器。
【請求項２】
本体のネジ部基部に横設したストッパー縁と、蓋取付枠のネジ部下端が突合して螺合し、介在するパッキンを挟圧することを特徴とする請求項１記載の食品容器。
【請求項３】
開閉蓋の突合片の下部に段部を形成し、パッキンの突出部の上端面と内周端面に当圧することを特徴とする請求項１又は２記載の食品容器。
【請求項４】
開閉蓋の側周壁が、蓋取付枠の内周面に形成した突条の上端面に突合して冠着することを特徴とする請求項１乃至３のいずれかに記載の食品容器。
【考案の詳細な説明】
【技術分野】
【０００１】
本考案は食品容器に関するものであり、詳しくは、スープ等の汁を伴う食品を収容して携帯する食品容器に関するものである。
【背景技術】
【０００２】
例えば、従来の弁当箱等の食品容器において、特開平９−１５６６７１号公報や実用新案登録第３０４９５９３号公報では、収容した食品から汁が容器と蓋の間から流出するのを防止するため、両部材の当接部分や接合部分或いは積層部分にパッキン等の部材を介在させていることが開示されている。
【０００３】
また、特開２００２−３０６２４３号公報や実用新案登録第３１６７５８３号公報では、お茶、味噌汁或いはスープ等の汁物を収容する特には、特に水漏れを防ぐため容器と蓋との連結部にネジを切って螺合することにより目的を達成することが開示されている。
【先行技術文献】
【特許文献】
【０００４】
【特許文献１】特開平０９−１５６６７１号公報
【特許文献２】実用新案登録第３０４９５９３号公報
【特許文献３】特開２００２−３０６２４３号公報
【特許文献４】実用新案登録第３１６７５８３号
【考案の概要】
【考案が解決しようとする課題】
【０００５】
スープ等の汁を伴う食品を収容して携帯する食品容器に関して、従来のように各部材を螺合構造によって着脱することが目的に適うものであるけれど、開け閉めが簡単とは言えず、子供、女性やお年寄り等の力が弱い人には負担を強いることになり、蓋が容器本体と分離してしまうため蓋の始末に困ることもあり、飲食場所等の環境に左右されることもある。
【０００６】
また、樹脂成型で部材を製造する場合、蓋の着脱が容易な開閉手段を選択する場合、蓋部分が二部材での構成とならざるを得ず、蓋自体の基部材と開閉蓋部材の連結と、蓋の基部材と本体容器との連結部分の水密性を確実にすると同時に簡単な構成が望まれるのである。
【０００７】
そこで、本考案は、直飲みボトル(水筒)のように片手でそのままスープが飲め、蓋の開け閉めが容易で、車中や公園など、テーブルがない環境でも場所を問わずに食べ易く、子供や女性、お年寄りなど力が弱い人でも開け易く、樹脂製であっても汁物に適した構造が簡易である食品容器を提供せんとするものである。
【課題を解決するための手段】
【０００８】
本食品容器に係る請求項１の考案は、本体、蓋取付枠及び開閉蓋により構成され、本体の上端部に蓋取付枠を螺合して着脱自在とし、本体と蓋取付枠の螺合時には、本体の上端部縁と蓋取付枠の内周面に形成した突条間に介在するパッキンを挟圧すると共に、パッキンは、突条よりも更に内方へ張り出た突出部を有すること、開閉蓋を蓋取付枠に起倒可能に軸支して冠着自在に係止し、蓋取付枠への冠着時に、前記パッキンの突出部に当接して密閉する突合片を開閉蓋に環状に垂設したにことを特徴とするものである。
【０００９】
請求項２の食品容器の考案は、請求項１に記載の考案において、本体のネジ部基部に横設したストッパー縁と、蓋取付枠のネジ部下端が突合して螺合し、介在するパッキンを挟圧することを特徴とするものである。
【００１０】
請求項３の食品容器の考案は、請求項１又は２に記載の考案において、開閉蓋の突合片の下部に段部を形成し、パッキンの突出部の上端面と内周端面に当圧することを特徴とするものである。
【００１１】
請求項４の食品容器の考案は、請求項１乃至３のいずれかに記載の考案において、開閉蓋の側周壁が、蓋取付枠の内周面に形成した突条の上端面に突合して冠着することを特徴とするものである。
【考案の効果】
【００１２】
請求項１の食品容器の考案は、本体、蓋取付枠及び開閉蓋により構成されるため、開閉する蓋を樹脂成型で二つの部材に分割して容易に製造できる利点があり、まとまった数量を安価に供給できる効果がある。
【００１３】
また、本体と蓋取付枠の連結を螺合によると共に、本体の上端部縁と蓋取付枠の内周面に形成した突条間にパッキンを介在して挟圧するため、螺合による水密性を得られるのに増し、パッキンを介在しているため、確実に漏洩を防止する効果を発揮するのである。
【００１４】
さらに、開閉蓋を蓋取付枠に起倒可能に軸支して冠着自在に係止し、前記パッキンの突出部に当接して密閉する突合片を開閉蓋に環状に垂設したため、連結部分の水密性を得られる効果があり、蓋取付枠の本体及び開閉蓋との連結部分の水密性を、一つのパッキンを共に利用する効果を発揮するものである。
【００１５】
請求項２の食品容器の考案は、請求項１の考案の効果に加えて、本体のネジ部基部に横設したストッパー縁と、蓋取付枠のネジ部下端が突合して螺合するため、螺入を制限する作用効果を奏し、また介在するパッキンの挟圧力を制御する効果も有する。
【００１６】
請求項３の食品容器の考案は、請求項１又は２の考案の効果に加えて、開閉蓋の突合片の下部に段部を形成し、パッキンの突出部の上端面と内周端面に当圧するものとしたため、突合片とパッキンとの当接面が二つの面となり、拡大するため水密性がより強化する効果を得られる。
【００１７】
請求項４の食品容器の考案は、請求項１乃至３のいずれかの考案の効果に加えて、開閉蓋の側周壁が、蓋取付枠の内周面に形成した突条の上端面に突合して冠着するようにしたため、開閉蓋の係止や、突合片とパッキンとの当接の強さを調整すると共に、該部分の突合によって密着して水分の漏洩を防止する作用効果を発揮するものである。
【図面の簡単な説明】
【００１８】
【図１】本考案の一実施の形態を示す縦断正面図である。
【図２】本考案の一実施の形態を示す他の縦断側面図である。
【図３】本考案の一実施の形態を示す平面図である。
【図４】本考案の一実施の形態を示す蓋取付枠の平面図である。
【図５】本考案の一実施の形態を示す蓋取付枠の縦断正面図である。
【考案を実施するための形態】
【００１９】
本考案の一実施の形態を図面に基づいて説明する。
図１は本考案の一実施の形態を示す縦断正面図、図２は他の縦断側面図、図３は平面図である。
本考案に係る食品容器は、本体１、蓋取付枠２及び開閉蓋３により構成され、本体１の上端部に蓋取付枠２を螺合して着脱自在とし、開閉蓋３を蓋取付枠２に起倒可能に軸支して冠着自在に係止されている。
各部材を形成する素材は限定されないけれど、合成樹脂による成型が好ましい。
【００２０】
本体１は、椀状の収容部１１を形成し、外向きに横設したストッパー縁１２の内側寄りにネジを外周に形成したネジ部１３を一体に起設してある。
本体１及び各部材を形成する素材は限定されないけれど、合成樹脂による成型が好ましく、容易に形成できる。
【００２１】
蓋取付枠２は、リング状の本体の内周面に突条２１を形成し、その下方はネジ部２２を形成すると共にパッキン４の挟持部と成り、前記本体１のネジ部１３とパッキン４を介在させて螺合し、本体１に着脱自在に取り付けられる。
介在するパッキン４は、突条２１よりも更に内方へ張り出た突出部４１を有する大きさの形態となっている。
【００２２】
本体１のネジ部１３の基部に横設したストッパー縁１２と、蓋取付枠２のネジ部２２の下端が突合して螺合するため、螺入を制限するストッパー作用を奏する。
そして、本体１の上端部縁と蓋取付枠２の内周面に形成した突条２１間にパッキン４を介在して挟圧するため、螺合による水密性が得られるのを増し、確実に漏洩を防止する作用を奏する。
【００２３】
また、上方部２３は後述の開閉蓋３の側周壁３１が冠着時に嵌合するもので、開閉蓋３の軸支部と係止部となる対向する部分は切欠部２４、２５としてある。
軸支部は、上方部２３が切欠部２４とした対向部が膨出して蓋取付枠２の上下幅の軸支面２６、２６を形成して軸嵌挿溝２７、２７が設けられている。
一方、係止部は、切欠部２５のネジ部２２の外周面中央部に突設した係止突起２８が形成されている。
【００２４】
開閉蓋３は、周囲に側面壁３１を下設し、蓋取付枠２への冠着時には下端面が蓋取付枠２の突条２１の上面に突合すると共に、外周面が上方部２３の内周面に嵌合する。
そして、側周壁３１の内側には突合片３２が環状に垂設され、突合片３２の下部には段部３３を形成し、蓋取付枠２への冠着時には、この段部３３が形成する二つの面が、前記パッキン４の突出部４１の上端面と内周端面に当圧するものとなる。
【００２５】
パッキン４の突出部４１に当接して密閉する突合片３２を開閉蓋３に環状に垂設したため、連結部分の水密性を得られ、蓋取付枠２の本体１及び開閉蓋３との連結部分の水蜜性を、一つのパッキン４を共に利用できるものとなっている。
また、パッキン４の突出部４１の上端面と内周端面に、突合片３２の段部が当圧するものとしたため、突合片３２とパッキン４との当接面が二つの面となり水密性がより強化される作用を奏する。
【００２６】
開閉蓋３の側周壁３１が、蓋取付枠２の内周面に形成した突条２１の上端面に突合して冠着するようにしたため、開閉蓋３の係止や、突合片３２とパッキン４との当接の強さを調整できると共に、該部分の突合によって水分の漏洩を防止する作用も奏する。
【００２７】
また、開閉蓋３を蓋取付枠２に起倒可能に軸支すべく、蓋取付枠２における上方部２３の切欠部２４に対応して、外側へ膨出した側周壁３１の連結部３４を形成し、その側面下端部に軸３５、３５が突設されている。
そこで、この軸３５、３５を、蓋取付枠２の軸支面２６、２６に形成した軸嵌挿溝２７、２７に挿入し、架設して係止することで、軸３５、３５を支点として開閉蓋３が蓋取付枠２に起倒可能に冠着するものとなる。
【００２８】
一方、連結部３４に対向し、蓋取付枠２における上方部２３の切欠部２５に対応して、外側へ膨出した側周壁３１の係止部３６を形成し、その内面下端部に係合片３７を設けてある。
よって、開閉蓋３の蓋取付枠２へ押圧することで、切欠部２５のネジ部２２の外周面中央部に突設した係止突起２８にこの係合片３７が弾性を利用して係止されるものである。
【００２９】
以上のように、本発明を図面に基づいて説明した。
しかし、図面に記載した実施の形態における具体的構成は本発明の一例であり、同様の作用効果を得られる他の構成又は手段を排除するものではない。
【符号の説明】
【００３０】
１          本体
１１        収容部
１２        ストッパー縁
１３        ネジ部
２          蓋取付枠
２１        突条
２２        ネジ部
２３        上方部
２４、２５  切欠部
２６        軸支面
２７        軸嵌挿溝
２８        係止突起
３          開閉蓋
３１        側周壁
３２        突合片
３３        段部
３４        連結部
３５        軸
３６        係止部
３７        係合片
【図１】
0003177111.tif 000003
【図２】
0003177111.tif 000004
【図３】
0003177111.tif 000005
【図４】
0003177111.tif 000006
【図５】
0003177111.tif 000007